(57)【要約】      （修正有）【課題】クーラーボックス等の上容器及び道具収納用バッグ等の下容器を簡便な手順で脱着可能でかつ携行時に上容器及び下容器を一体化して容易に携帯することが可能な携帯用上下容器の脱着装置を提供する。【解決手段】挿入部が携帯用下容器１６の蓋部１６Ａに穿孔した係止孔１７に挿入した後、閉塞板の復元動作で係止具係入凹陥を係入する。携帯用下容器１６の蓋部１６Ａの左右または前後には操作者が閉塞板を操作する窓孔１６Ｂ、１６Ｂを配設している。そして蓋部１６Ａの内面と中敷１６ａの上面とで形成した空間内に該閉塞板が介装される。中敷１６ａの上面に２個の閉塞板及び閉塞板の後縁部とストッパとの間に適宜数の弾発部材を配置している。閉塞板の各左・右位置にはそれぞれ係止具係入凹陥を形成している。【選択図】図１
0003153180.tif 000002
【実用新案登録請求の範囲】
【請求項１】
携帯用上容器と携帯用下容器を上下方向に着脱する装置に於いて、前記携帯用上容器の下面に所望数の係止具を備え、前記携帯用下容器は該係止具を挿入する係止孔を備えた蓋部と、該係止孔を開閉しかつ該係止孔内に挿入された係止具を係入し又は係入解除する閉塞板と、該閉塞板を進退自在とする弾発部材とを有した前記携帯用下容器であることを特徴とする携帯用上下容器の脱着装置。
【請求項２】
携帯用上容器と携帯用下容器を上下方向に着脱する装置に於いて、前記携帯用上容器の下面に所望数の係止具を備え、前記携帯用下容器は該係止具を挿入する係止孔を備えた蓋部と、該係止孔を開閉しかつ該係止孔内に挿入された係止具を係入し又は係入解除する係止具係入凹陥を備えた閉塞板と、該閉塞板を進退自在とする弾発部材とを有した前記携帯用下容器であることを特徴とする携帯用上下容器の脱着装置。
【請求項３】
前記係止具係入凹陥は第１円弧状部とこれに連なる第２円弧状部とで構成され、前記係止孔の径長Ｄ３、前記第１円弧状部の径長Ｄ１、前記第２円弧状部の径長Ｄ２である場合、次の不等式で成立する関係であることを特徴とする請求項２記載の携帯用上下容器の脱着装置。
第１円弧状部の径長Ｄ１＞係止孔の径長Ｄ３＞第２円弧状部の径長Ｄ２
【考案の詳細な説明】
【技術分野】
【０００１】
本考案は、例えばクーラーボックス等の上容器及び道具収納用バッグ等の下容器を簡便な手順で脱着可能でかつ携行時に上容器及び下容器を一体化して容易に携帯することが可能な携帯用上下容器の脱着装置に関する。
【背景技術】
【０００２】
従来、この種、従来技術の第１の例としては図５に示す特開２００１−２０４３４３号公開特許公報に開示された技術がある。これについて説明すれば、図５に於いて容体部１の長辺側に位置し対向する一対の内壁面１ａ、１ｂの上端付近には、長さ方向に間隔を隔てて複数の係止溝２ａ、２ｂが設けられている。この係止溝２ａ、２ｂは対向する内壁面１ａ、１ｂにおいてそれぞれペアになって対応するようになっている。また、容体部１の内壁面１ａ、１ｂには、開口した上端付近が他の部分に比べて長さ方向にわたって連続的に切り欠かれて段３が形成されている。そして、係止溝２ａ、２ｂは、この段３において上面が位置しかつその上面が開放された略半円筒型になるように容体部１の内壁面１ａ，１ｂに欠り切かれて設けられている。そして、この容体部１の係止溝２ａ、２ｂには、トレー４が脱着自在に固定される。トレー４は容体部１と同様にポリプロピレン等の合成樹脂で形成され、例えば、蓋付きの収納空間と蓋無の収納空間とを有している。トレー４は、段３に係止されるフランジ６を有すると共に、容体部１の内壁面１ａ、１ｂ間の距離に合致した幅方向の長さを有し、その幅方向の両端側には１対の２つの係止突起５、５を有している。このそれぞれの係止突起５、５も略半円筒型であり、容体部１の係止溝２ａ、２ｂに合致するようになっている。
【０００３】
また、従来技術の第２の例としては図６に示す実開平５−９１３５６号公開実用新案公報に開示された技術がある。これについて説明すれば、開閉用蓋体７と魚収納ボックス８の後外壁面に蝶番８Ａ、８Ａを左右に配して取り付け、開閉用蓋体７を上下揺動自在に構成する。また肩掛けベルト９を魚収納ボックス８の底壁より両横側壁に密着する状態で巻き掛けている。１０はカバー体であって長孔１０Ａ、１０Ｂと円孔１０Ｃを形成するとともに、下半部に更に３つの長孔１０Ｄ、１０Ｅ、１０Ｆを形成してある。円孔１０Ｃはクーラー持ち上げ用のハンドルをワンタッチで取り付け可能な孔であり、長孔１０Ｂと長孔１０Ｆは仕掛け等を収納したサイドボックス１１をカバー体１０の横外方で係止する孔であり、長孔１０Ｄはエアーポンプをカバー体１０の内部で係止する孔であり、長孔１０Ｅは餌箱等をカバー体１０の内部で係止する孔である。サイドボックス１１の一方横側壁はＬ字状フック１１ａ、１１ｂを固定しており、Ｌ字状フック１１ａ、１１ｂの各々の爪部を長孔１０Ｂ、１０Ｆに係止してサイドボックス１１をカバー体１０の横外方に固定する。
【先行技術文献】
【特許文献】
【０００４】
【特許文献１】特開２００１−２０４３４３号公開特許公報
【特許文献２】実開平５−９１３５６号公開実用新案公報
【考案の開示】
【考案が解決しようとする課題】
【０００５】
従来の技術は叙上の構成であるので次の課題が存在した。
図５に示す従来技術に於いては容体部１の内側に液体を収納するとき、携帯時に於ける容体部１の搖動によってトレー４内の該液体が流動し、トレー４の蓋無の収容空間に収容した収容物が濡れるという問題があり、またトレー４が容体部１内に収容されるのでその分容体部１の利用空間が狭くなるという問題点があった。次に図６に示す従来技術に於いては開閉用蓋体７のカバー体１０の横外方にサイドボックス１１を固定するので、携帯時に開閉用蓋体７とサイドボックス１１による平面寸法すなわち投影面積が大きくなり、持運びが不便であるという問題があり、またサイドボックス１１のＬ字状フック１１ａ、１１ｂがサイドボックス１１の側面から外方に突出した形態で固定され、これが取付前に邪魔になると共にサイドボックス１１の長孔１０Ｂ、１０Ｆへの取付作業が容易でないという問題点があった。またサイドボックス１１の全体形状が縦長であって上面に蓋を配しているので、サイドボックス１１の内側底面部に収容した収容物を取出すことが困難であるという問題があった。
【課題を解決するための手段】
【０００６】
本考案に係る携帯用上下容器の脱着装置は叙上の問題を解決すべく考案したものであり、次の構成、手段から成立する。
すなわち請求項１記載の考案によれば、携帯用上容器と携帯用下容器を上下方向に着脱する装置に於いて、前記携帯用上容器の下面に所望数の係止具を備え、前記携帯用下容器は該係止具を挿入する係止孔を備えた蓋部と、該係止孔を開閉しかつ該係止孔内に挿入された係止具を係入し又は係入解除する閉塞板と、該閉塞板を進退自在とする弾発部材とを有した前記携帯用下容器であることを特徴とする。
また、請求項２記載の考案によれば、携帯用上容器と携帯用下容器を上下方向に着脱する装置に於いて、前記携帯用上容器の下面に所望数の係止具を備え、前記携帯用下容器は該係止具を挿入する係止孔を備えた蓋部と、該係止孔を開閉しかつ該係止孔内に挿入された係止具を係入し又は係入解除する係止具係入凹陥を備えた閉塞板と、該閉塞板を進退自在とする弾発部材とを有した前記携帯用下容器であることを特徴とする。
さらに、請求項３記載の考案によれば、請求項２記載の携帯用上下容器の脱着装置に於いて、前記係止具係入凹陥は第１円弧状部とこれに連なる第２円弧状部とで構成され、前記係止孔の径長Ｄ３、前記第１円弧状部の径長Ｄ１、前記第２円弧状部の径長Ｄ２である場合、次の不等式で成立する関係であることを特徴とする。
第１円弧状部の径長Ｄ１＞係止孔の径長Ｄ３＞第２円弧状部の径長Ｄ２
【考案の効果】
【０００７】
本考案に係る携帯用上下容器の脱着装置は叙上の構成を有するので次の効果がある。
【０００８】
請求項１記載の考案によれば、携帯用上容器と携帯用下容器を上下方向に着脱する装置に於いて、前記携帯用上容器の下面に所望数の係止具を備え、前記携帯用下容器は該係止具を挿入する係止孔を備えた蓋部と、該係止孔を開閉しかつ該係止孔内に挿入された係止具を係入し又は係入解除する閉塞板と、該閉塞板を進退自在とする弾発部材とを有した前記携帯用下容器であることを特徴とする携帯用上下容器の脱着装置を提供する。
このような構成としたので、携帯用上容器と携帯用下容器を上下方向に着脱することが可能となり持運びが容易であり特に操作者は一方の片手で携帯用上容器を持ち、他方の片手で例えば別の荷物等を持つことができ極めて便利であるという効果がある。
【０００９】
請求項２記載の考案によれば、携帯用上容器と携帯用下容器を上下方向に着脱する装置に於いて、前記携帯用上容器の下面に所望数の係止具を備え、前記携帯用下容器は該係止具を挿入する係止孔を備えた蓋部と、該係止孔を開閉しかつ該係止孔内に挿入された係止具を係入し又は係入解除する係止具係入凹陥を備えた閉塞板と、該閉塞板を進退自在とする弾発部材とを有した前記携帯用下容器であることを特徴とする携帯用上下容器の脱着装置を提供する。
このような構成としたので、請求項１記載の考案の効果に加えて携帯用下容器の蓋部に係止孔を形成したので該携帯用下容器の外方に係止具が突出せず持運びに於いて邪魔がなく円滑に持運び可能であり加えて係止具と、係止具を係入し又は係入解除する閉塞板を備えたので携帯用下容器が携帯用上容器から脱落することが全く無いという効果がある。
【００１０】
請求項３記載の考案によれば、請求項２記載の携帯用上下容器の脱着装置に於いて、前記係止具係入凹陥は第１円弧状部とこれに連なる第２円弧状部とで構成され、前記係止孔の径長Ｄ３、前記第１円弧状部の径長Ｄ１、前記第２円弧状部の径長Ｄ２である場合、次の不等式で成立する関係であることを特徴とする携帯用上下容器の脱着装置を提供する。
第１円弧状部の径長Ｄ１＞係止孔の径長Ｄ３＞第２円弧状部の径長Ｄ２
このような構成としたので、請求項２記載の考案の効果に加えて係止具係入凹陥を合理的な形状、構造としたのでこれの疲労・劣化がなく、耐久性が向上するという効果がある。
【図面の簡単な説明】
【００１１】
【図１】本考案に係る携帯用上下容器の脱着装置に於ける実施形態を示すものであって、携帯用上容器と携帯用下容器の両者を装着（取付）する前の状態を示した斜視図である。
【図２】本考案に係る携帯用上下容器の脱着装置に於ける実施形態を示すものであって、携帯用下容器に於いて図１の矢視Ａ−Ａ線方向から見た拡大断面図である。
【図３】本考案に係る携帯用上下容器の脱着装置に於ける実施形態を示すものであって、携帯用上容器と携帯用下容器を脱着する際に該携帯用下容器内に装着した閉塞板の作用を示す図面であり、図２の矢視Ｂ−Ｂ線方向から見た拡大部分断面図である。
【図４】本考案に係る携帯用上下容器の脱着装置に於ける実施例を示すものであって、携帯用上下容器の水平断面図に於いてその要部を拡大した図面である。
【図５】従来の技術に於ける携帯用容器の一例を示すものであって、要部を示す斜視図である。
【図６】従来の技術に於ける携帯用容器の他の例を示すものであって、斜視図である。
【考案を実施するための形態】
【００１２】
以下、本考案に係る携帯用上下容器の脱着装置について図１ないし図３に基づき詳細に説明する。
図１は携帯用上容器と携帯用下容器を示すものであって、この両者を装着（取付）する前の状態を示した斜視図である。図２は携帯用下容器に於いて図１の矢視Ａ−Ａ線方向から見た拡大断面図を示している。図３は携帯用上容器と携帯用下容器を脱着する際に該携帯用下容器内に装着した閉塞板の作用を示す図面であり、図２の矢視Ｂ−Ｂ線方向から見た拡大部分断面図である。
【００１３】
１２は携帯用上容器であって例えば釣上げた魚類等を収容するクーラーボックスやパッケージ等各種の容器に適用される。その外観形状は全体が直方体形状、正立方体形状、矩形体形状、円筒体形状等各種の形状が適用される。該携帯用上容器１２は大概して本体部１２Ａと、蓋部１２Ｂと、把手部１３Ｃとで構成されている。該本体部１２Ａと蓋部１２Ｂは金属製、木製又は樹脂製等各種の材料で成形される。そして、この両者は例えば２つの蝶番１４、１４で締結されて蓋部１３Ｂはこの蝶番１４、１４を基点として本体部１２Ａの上面開口を閉止又は開放する。前記把手部１３Ｃは例えば図１に示すように略コ字状に形成されその両脚１３ａ、１３ａは本体部１２Ａの左・右の側面１２a、１２ｂに矢印Ｂのように前後方向に回動自在に軸着している。この把手部１３Ｃも前記本体部１２Ａや蓋部１２Ｂと同一材料でもよく、別異の材料で構成してもよい。
尚、前記把手部１３Ｃの両脚１３ａ、１３ａは本体部１２Ａの前・後の側面１２ｃ、１２ｄに軸着する構成でもよい。
【００１４】
前記本体部１２Ａの底面１２ｅは所望数個の係止具１５を備えている。そして例えば４隅にそれぞれ係止具１５を固定する。この係止具１５は後述する携帯用下容器１６から取外したとき脚としての機能し脚部と兼用することが可能である。
【００１５】
係止具１５は全体形状が例えば突起体を構成し、加工・製作費を低減するため可能な限りシンプルな形状とする。そして基台部１５ａと、係止部１５ｂと、挿入部１５ｃとで構成され、基台部１５ａは携帯用上容器の本体部１２Ａの底面１２ｅに固定され例えば円盤状基台で構成する。係止部１５ｂは該係止具１５のくびれ部分であって、下記する閉塞板１８、１８の前縁部１８ａ、１８ａが係入する構造・形状であればよい。そして前記挿入部１５ｃが図１に示す携帯用下容器１６の蓋部１６Ａに穿孔した前記係止具１５と同数の係止孔１７を備え例えば円形状でなる４つの係止孔１７に挿入した後、閉塞板１８の復元動作で該閉塞板１８の前縁部１８ａとしての係止具係入凹陥１８ｃを係入する。係止具１５の挿入部１５ｃは例えば図３に示すように略半球状体に構成され携帯用下容器１６の係止孔１７に挿入し易い形状に構成する。該携帯用下容器１６は道具収納バッグや餌箱、薬箱等各種の容器で構成される。
【００１６】
前記携帯用下容器１６の蓋部１６Ａの左右または前後には操作者が閉塞板１８を操作する窓孔１６Ｂ、１６Ｂを配設している。この窓孔１６Ｂ、１６Ｂには閉塞板１８、１８の前縁部１８ａ、１８ａを臨ませている。該閉塞板１８は例えばやや厚板状で構成され図２に示すように携帯用下容器１６内の左・右部位に2個配置している。そして前記蓋部１６Ａの内面と中敷１６ａの上面とで形成した空間内に該閉塞板１８、１８が介装される。
【００１７】
前記携帯用下容器１６内の上方部位には中敷１６ａを配備すると共に２つのストッパ１６ｂ、１６ｂ、を立設している。該ストッパ１６ｂ、１６ｂは壁部であって、該携帯用下容器１６の左・右側面に平行に立設している。この中敷１６ａの上面に２個の閉塞板１８、１８及び適宜数の弾発部材１９、１９・・・を配置している。前記閉塞板１８、１８は図２に示すように全体形状が薄板状の略矩形体であって、前記携帯用下容器１６の内壁面１６ｃ、１６ｃに適合するように成形してある。そして前記弾発部材１９、１９・・・は例えば瓢たん型バネ材でなり前記閉塞板１８、１８の後縁部１８ｂとストッパ１６ｂとの間に介装されており、図２に示す例えば携帯用下容器１６の左側又は右側にそれぞれ２個すなわち全体で４個を介装している。該弾発部材１９、１９・・・は水分や塩分等の付着によっても耐えるべく耐湿性、耐塩性を有しまた防錆処理をした材料で構成する。
【００１８】
尚、前記弾発部材１９、１９は携帯用下容器１６の左側又は右側にそれぞれ１個で構成してもよくその場合、弾発力（復元力）の増大を図るべく２個配置したものに比較し、やや大きい形状や真円形状でなる各種の弾発部材で構成してもよくまた、Ｌ字型バネ体でもよい。これは携帯用下容器１６の用途に応じて種々のもので構成される。
【００１９】
また、前記携帯用下容器１６は本考案では直方体形状、立方体形状、円形状等その形状や大きさは限定しないが、比較的垂直方向に長さの短いものに適用することにより携帯用上容器１２に取付けるとき持運びに便利であると共に、内部に収容した収容物を取出すことが容易となる。図１及び図２に於ける本考案に係る実施の形態に示す例によれば前記閉塞板１８、１８を携帯用下容器１６の左又は右側に配置しているが、本考案はこれに限定されるものではなく、前方側又は後方側に配置し、その場合壁部としてのストッパ１６ｂ、１６ｂを該携帯用下容器１６の前方側又は後方側に配置することで目的を達成できる。
【００２０】
前記閉塞板１８、１８の各左・右位置にはそれぞれ係止具係入凹陥１８ｃ、１８ｃを形成している。この係止具係入凹陥１８ｃ、１８ｃは前記係止孔１７、１７の配置位置に適合させ、操作者の手で該閉塞板１８、１８を押込むことにより該係止孔１７、１７を完全に開放し、押込み解除で該係止孔１７、１７を閉塞するような形状とする。
尚、携帯用下容器１６に於いてその蓋部１６Ａには把手２１を備えている。
【００２１】
前記係止具係入凹陥１８ｃ、１８ｃは前述したように閉塞板１８、１８の左・右位置にそれぞれ形成しており、第１円弧状部１８ｃ１と、これに連なる第２円弧状部１８ｃ２とで構成される。該第１円弧状部１８ｃ１は径長Ｄ１でなり、該第２円弧状部１８ｃ２は径長Ｄ２でなる。ここで、携帯用下容器１６に形成された前記４つの係止孔１７の径長Ｄ３とすれば前記携帯用上容器１２と前記携帯用下容器１６とを脱着する構成とするには、次の不等式が成立する。すなわち、第１円弧状部１８ｃ１の径長Ｄ１＞係止孔１７の径長Ｄ３＞第２円弧状部１８ｃ２の径長Ｄ２である。
【００２２】
次に本考案に係る携帯用上下容器の脱着装置に於ける実施の形態に於いて、作用等について説明する。
先ず、携帯用上容器１２の下側に携帯用下容器１６を装着する場合は、操作者が図２及び図３に示すように両手の指２０、２０を該携帯用下容器１６の蓋部１６Ａの窓孔１６Ｂ、１６Ｂに差込み、該携帯用下容器１６の左側・右側に配置された閉塞板１８、１８の前縁部１８ａ、１８ａを押込む。而して該閉塞板１８、１８の前縁部１８ａ、１８ａは図２及び図３の仮想線に示すように互いに２つの弾発部材１９、１９を圧縮しながら該携帯用下容器１６の左側・右側の中央方向に移動する。このとき、該２つの弾発部材１９、１９はストッパ１６ｂ、１６ｂに衝当しつつ仮想線で示すように圧縮変形する。
【００２３】
そこで該閉塞板１８、１８の左・右位置にそれぞれ形成した係止具係入凹陥１８ｃ、１８ｃの位置は該閉塞板１８、１８の移動と共に携帯用下容器１６の左側・右側の中央方向に移動する。すなわち４つの該係止具係入凹陥１８ｃ・・・の第１及び第２円弧状部１８ｃ１、１８ｃ２が図２の仮想線で示すように携帯用下容器１６の左側・右側の中央方向に移動する。そして、第２円弧状部１８ｃ２が係止孔１７から没入して  第１円弧状部１８ｃ１が該係止孔１７の円弧状部分に臨み該係止孔１７が開放状態となる。これにより、４つの係止孔１７が一斉に開放する。これは係入解除動作である。
【００２４】
次に、該４つの係止孔１７に向けて当該携帯用上容器１２の底面１２ｅに固定した係止具１５の挿入部１５ｃを挿入する。この場合挿入部１５ｃの径長Ｄ４は係止孔１７の径長Ｄ３よりやや長く設定している。この状態は図３に示してある。そして操作者の両手の指２０、２０を窓孔１６Ｂ、１６Ｂから解放すれば前記それぞれ２つの弾発部材１９、１９が反発し、係止具係入凹陥１８ｃ、１８ｃの第２円弧状部１８ｃ２が図２及び図３の実線で示す位置に復元し、該第２円弧状部１８ｃ２は係止具１５のくびれ部１５ｂに係入する。そこで、携帯用上容器１２の４つの係止具１５が携帯用下容器１６の４つの係止孔１７に掛け止めされる。これにより携帯用上容器１２と携帯用下容器１６が上下方向に固定される。操作者が例えば一方の片手で把手部１３Ｃを持ち上げることにより携帯用上下容器１２、１６を同時に持ち運ぶことができる。そして自由となった他方の片手で釣竿を持ち運ぶことが可能となる。そして、携帯用上容器１２と携帯用下容器１６を離脱させるときは、上述したように閉塞板１８、１８の係止具係入凹陥１８ｃ、１８ｃを係止孔１７から開放する操作をすればよい。
尚、本考案は当該閉塞板１８、１８を携帯用下容器１６に装備したものに限定されず携帯用上容器１２に装備し該携帯用上容器１２の下面１２ｅに係止孔１７を及び該携帯用下容器１６の蓋部１６Ａに係止具１５を配置することによりその考案の目的を達成できる。
【実施例】
【００２５】
次に本考案に係る携帯用上下容器の脱着装置に於ける実施例を説明する。
図４は本考案に係る携帯用上下容器の脱着装置に於ける実施例を示すものであって、携帯用上下容器の水平断面図に於いてその要部を拡大した図面である。図１及び図２に示すものとの相異点は、弾発部材１９，１９としての瓢たん型バネ材に代えてコイル状バネ体１９Ａ、１９Ａで構成する。このコイル状バネ体１９Ａ、１９Ａは携帯用下容器１６の左側・右側にそれぞれ２個配置することを最良とするが１個配置してその機能を達成することもできる。
ほかの構成や作用等は前述した図１及び図２に示す実施の形態で説明したものと略同一であり、同一番号、同一符号を付しその説明を省略する。
【産業上の利用可能性】
【００２６】
本考案は携帯用容器等の容器に利用するものであって、特に容器内に収容する各種の収容物を分類し又は分離して収容する必要のある容器に好適であり、魚釣用のクーラーボックスのほかに大工道具等を収容する工具ケースやカメラ等の光学機器の容器に適用可能である。
【符号の説明】
【００２７】
１２      携帯用上容器
１２Ａ    本体部
１２Ｂ    蓋部
１２ａ    本体部の左の側面
１２ｂ    本体部の右の側面
１２ｃ    本体部の前の側面
１２ｄ    本体部の後の側面
１２ｅ    本体部の底面
１３Ｃ    把手部
１３ａ    脚
１４      蝶番
１５      係止具
１５ａ    基台部
１５ｂ    係止部
１５ｃ    挿入部
１６      携帯用下容器
１６Ａ    蓋部
１６Ｂ    窓孔
１６ａ    中敷
１６ｂ    ストッパ
１６ｃ    内壁面
１７      係止孔
１８      閉塞板
１８ａ    前縁部
１８ｂ    後縁部
１８ｃ    係止具係入凹陥
１８ｃ１  第１円弧状部
１８ｃ２  第２円弧状部
１９      弾発部材
２０      指
２１      把手
【図１】
0003153180.tif 000003
【図２】
0003153180.tif 000004
【図３】
0003153180.tif 000005
【図４】
0003153180.tif 000006
【図５】
0003153180.tif 000007
【図６】
0003153180.tif 000008